【事件の表示】
　平成　９年特許願第　９６２０９号「データベース検索装置及び携帯端末装置」拒絶査定不服審判事件〔平成１０年１０月２７日出願公開、特開平１０−２８９２４３〕について、次のとおり審決する。
【結　論】
　本件審判の請求は、成り立たない。
【理　由】
１．手続の経緯
　本願は、平成９年４月１４日の出願であって、平成１６年８月１６日付で拒絶査定がなされ（発送日平成１６年８月２４日）、これに対し、平成１６年９月２１日に拒絶査定不服審判の請求がなされたものである。
　
２．本願発明
　本願の請求項３に係る発明（以下、「本願発明」という。）は、平成１６年７月１６日付け手続補正書により補正された特許請求の範囲の請求項３に記載された事項により特定される、以下のとおりのものである。
　 
　「ホスト装置に保存されたデータベースを検索する携帯端末装置であって、
　対象を撮影し画像データを得る撮影手段と、
　画像データの検索を示すコマンドを指定する指定手段と、
　前記撮影手段によって撮影された画像データを前記指定されたコマンドおよび携帯端末の識別情報と共にホスト装置へ送信する送信手段と、
　画像データの検索を示すコマンドを送信した場合には、前記送信された画像データをもとにホスト装置で検索された関連情報を受信する受信手段と、
　を有する携帯端末装置。」
　
３．引用刊行物記載の発明
（３−１）引用例１発明
　これに対して、原査定の拒絶の理由に引用された、本願の出願の日前である昭和６０年４月１５日に頒布された特開昭６０−６５３３５号公報（以下「引用例１」という。）には、図面とともに、以下の（ア）〜（エ）の事項が記載されている。
　
（ア）
「［発明の利用分野］
　本発明は，画像データの検索方式に係り，特に入力された画像データと類似する画像データを高速に検索する画像検索方式に関する。」（公報第２０３頁右下欄第６〜９行目）
　
（イ）
「第１図は本発明による検索装置の構成図である。原稿１は画像情報をもっている原稿用紙，画像入力装置２はこの原稿１上の画像情報を読み取り，白黒２値データ化して，制御部３に送る入力装置である。制御部３は，画像入力装置２から読み込んだ画像２値データを画像メモリに格納し，後述するように２次元画像データの小領域ごとに黒ドットの数を算出し，この画像データを検索するときのキーとするインデックスを作成する部分である。記憶装置４は，制御部３付属の外部記憶装置であり，このようにして各画像データについて，インデックスと画像データそのものを格納する記憶装置である。キーボード５は，制御部３に対する指令を入力する入力装置である。表示装置６は，画像データを表示するための表示装置である。本実施例においては，画像入力装置２，制御部３，記憶装置４，キーボード５および表示装置６はこの検索装置の一部として同一場所に設置される。しかし制御部３と記憶装置４とが計算機としてまとまっており，画像入力装置２，キーボード５および表示装置６が端末装置として，この計算機から離れて設置されてもよい。」（公報第２０４頁左上欄下から１行目から同頁左下欄第２行目）
　
（ウ）
「次に第４図を参照しながら，画像データの登録動作について説明する。第４図は制御部３における動作を示す流れ図である。原稿１を画像入力装置２にセットし，画像情報を読み込ませると，画像入力装置２は２値画像データにして制御部３に送る。制御部３は，この画像データを内蔵の画像メモリに２次元画像データとして展開し，ｍ×ｎドットの小領域ごとに黒ドットの数を算出し，これから第３図に示す形式でインデックスを作成する。ここでキーボード５から読み込まれている指令データを調べ，これが登録を指示するものであれば，このインデックス部と画像メモリの内容である画像データ部とを合わせて画像レコードとして記憶装置４に格納する。
　次に第４図を参照しながら，画像データの検索について説明する。画像入力装置２から画像データを読み込み，小領域ごとに黒ドットの数を算出してインデックスを作成するまでは，上記登録動作と同じである。この後，キーボード５から読み込まれている指令データを調べ，これが検索を指示するものであれば，記憶装置４中にすでに登録済みの各画像レコードについてインデックス部のみを読み出し，入力インデックス部とこの登録インデックス部とを比較する。両者が一致すれば，当該画像レコードの画像データ部を読み出し，この画像データを表示装置６に表示する。」（公報第２０４頁右下欄第２行目から第２０５頁左上欄第９行目）
　
（エ）
「なお原稿１上の画像情報は，たとえば手書きの漢字データ，白黒の写真等であってもよい。この場合これらの画像情報をキーにして原稿１の検証を行なうとともに，対応する画像レコードに関連するコード化情報を結合してファイル化しておけば，詳細なコード化情報をファイルからとり出すことができる。」（公報第２０５頁右上欄第１３〜１９行目）
　
　引用例１の上記記載から、引用例１には以下の事項が開示されていると認められる。
　
（ａ）引用例１の上記（ア）の記載から、引用例１は、入力された画像データと類似する画像データを（高速に）検索する画像検索システム（方式）が開示されていると認められる。
　さらに、引用例１の上記（イ）の「記憶装置４は，制御部３付属の外部記憶装置であり，このようにして各画像データについて，インデックスと画像データそのものを格納する記憶装置である。」、「制御部３と記憶装置４とが計算機としてまとまっており，画像入力装置２，キーボード５および表示装置６が端末装置として，この計算機から離れて設置されてもよい。」、及び、引用例１の上記（ウ）の「インデックス部と画像メモリの内容である画像データ部とを合わせて画像レコードとして記憶装置４に格納する。」という記載から、引用例１記載の画像検索システムは、計算機の記憶装置に格納されているインデックスと画像データとからなる画像レコードを検索する端末装置を備えていると認められる。
　
（ｂ）引用例１の上記（イ）の「画像入力装置２はこの原稿１上の画像情報を読み取り，白黒２値データ化して，制御部３に送る入力装置である。」及び「制御部３と記憶装置４とが計算機としてまとまっており，画像入力装置２，キーボード５および表示装置６が端末装置として，この計算機から離れて設置されてもよい。」という記載から、引用例１記載の端末装置は、画像情報を読み取り画像データを得る画像入力装置を備えているものと認められる。
　
（ｃ）引用例１の上記（イ）の「キーボード５は，制御部３に対する指令を入力する入力装置である。」及び「制御部３と記憶装置４とが計算機としてまとまっており，画像入力装置２，キーボード５および表示装置６が端末装置として，この計算機から離れて設置されてもよい。」、上記（ウ）の「キーボード５から読み込まれている指令データを調べ，これが検索を指示するものであれば，記憶装置４中にすでに登録済みの各画像レコードについてインデックス部のみを読み出し，入力インデックス部とこの登録インデックス部とを比較する。両者が一致すれば，当該画像レコードの画像データ部を読み出し，この画像データを表示装置６に表示する。」という記載などから、引用例１記載の端末装置は、画像データの検索を指示する指令データを入力するキーボードを備えているものと認められる。
　
（ｄ）引用例１の上記（イ）の「キーボード５は，制御部３に対する指令を入力する入力装置である。」及び「制御部３と記憶装置４とが計算機としてまとまっており，画像入力装置２，キーボード５および表示装置６が端末装置として，この計算機から離れて設置されてもよい。」という記載、並びに、引用例１の上記（ウ）の「画像情報を読み込ませると，画像入力装置２は２値画像データにして制御部３に送る。」という記載から、引用例１記載の端末装置は、画像入力装置によって読み込まれた画像データを計算機（の制御部）に送る手段と、キーボードから入力された指令データを計算機（の制御部）に送る手段とを備えているものと認められる。
　
（ｅ）引用例１の上記（イ）の「制御部３と記憶装置４とが計算機としてまとまっており，画像入力装置２，キーボード５および表示装置６が端末装置として，この計算機から離れて設置されてもよい。」という記載、及び、引用例１の上記（ウ）の「キーボード５から読み込まれている指令データを調べ，これが検索を指示するものであれば，記憶装置４中にすでに登録済みの各画像レコードについてインデックス部のみを読み出し，入力インデックス部とこの登録インデックス部とを比較する。両者が一致すれば，当該画像レコードの画像データ部を読み出し，この画像データを表示装置６に表示する。」という記載から、引用例１の端末装置は、画像データの検索を指示する指令データを（キーボードから）入力した際に、（画像入力装置から）入力された画像データをもとに計算機で検索された画像データを受信する表示装置を備えているものと認められる。
　
　したがって、引用例１には次の発明（以下、「引用例１発明」という。）が開示されている。
　
「計算機の記憶装置に格納されているインデックスと画像データとからなる画像レコードを検索する端末装置であって、
画像情報を読み取り画像データを得る画像入力装置と、
画像データの検索を指示する指令データを入力するキーボードと、
画像入力装置によって読み込まれた画像データを計算機に送る手段と、
キーボードから入力された指令データを計算機に送る手段と
画像データの検索を指示する指令データを（キーボードから）入力した際に、（画像入力装置から）入力された画像データをもとに計算機で検索された画像データを受信する表示装置
を備えた端末装置。」
　
（３−２）引用例２に記載の技術
　原査定の拒絶の理由に引用された、本願の出願の日前である平成８年３月２２日に頒布された、特開平８−７７１９２号公報（以下「引用例２」という。）には、図面とともに、以下の（オ）〜（キ）の事項が記載されている。
　
（オ）
「【０００５】本発明の目的は、情報が作成、記録、発信または処理された場所に関する位置情報を検索に利用することができる情報処理装置と文書編集装置と画像撮影記録装置と音声通話装置及びファックス通信装置を提供することにある。」
　
（カ）
「【００２５】まず、図１〜１０を用いて、本発明の第１実施例である位置センサ付携帯コンピュータについて説明する。
【００２６】図１に、位置センサ付携帯コンピュータ１０の構成を示し、コンピュータ１０の外観イメージを図２に示す。図１および図２において、コンピュータ１０は、ＣＰＵ（中央処理装置）１１、メインメモリ１２、デイスク１３、デイスプレイ２、デイスプレイインターフェイス１５、タブレット１６、ペンインターフェイス１７、カメラ５、映像処理装置１８、マイク１９、スピーカ２０、音声処理装置２１、位置センサ１、通信装置１４を備え、各部がバス２４を介して接続されている。
【００２７】コンピュータ１０はタイマを内蔵しているとともに、バス２４がキーボードに接続されている。そしてＣＰＵ１１によって各種の情報が処理され、処理された情報がデイスク１３に格納されるようになっている。デイスク１３に各種情報をファイルとして格納する場合、各ファイルに対応付けて情報が処理されたときの場所に関する位置情報が付帯情報としてデイスク１３に記録されるようになっている。この位置情報は位置センサ１によって検知され、位置センサ１により検知された現在地に関する位置情報がデイスク１３の各ファイルに対応付けて記録されるようになっている。そしてデイスク１３に格納されたファイル群の中から指定のファイルを抽出するときには、位置情報に従ってファイル群の中から指定のファイルを抽出するようになっている。すなわち、ＣＰＵ１１は情報処理手段と情報抽出手段を構成し、デイスク１３は情報格納手段を構成し、位置センサ１は位置検知手段を構成し、デイスク１３は記録手段を構成するようになっている。
【００２８】以下、各部の具体内容について説明する。
【００２９】ＣＰＵ１１は各種のテキストやグラフィック情報を生成し、生成した情報をデイスプレイインターフェイス１５を介してデイスプレイ２に描画するようになっている。デイスプレイ２の上には透明タブレット１６が重ねて一体化されている。ペン３を用いてタブレット１６上の画像を指定するときには、ペン３の位置がタブレット６によって検知され、ペン３の位置情報がＣＰＵ１１に転送されるようになっている。同様に、ペン３に付随するボタン４の押し下げ、開放もタブレット１６によって検知され、検知出力がＣＰＵ１１に転送されるようになっている。さらに、ユーザはペン３を用いて、文字や図形情報をコンピュータ１０に入力することができる。
【００３０】またコンピュータ１０には、周囲の状況を静止画像や動画像として記録するためのカメラ５が装備されている。このカメラ５は折り曲げが自在なフレキシブルアームによってコンピュータ本体に取り付けられており、このアームを適当に曲げることにより、周囲の映像を自在に撮影できる。カメラ５で撮影された映像を処理する映像処理装置１８は、ＣＰＵ１１からの指令に従ってカメラ５からの映像信号をアナログからデジタルに変換し、さらに、デジタル化された信号を圧縮し、適当なフォーマットの画像データとしてメインメモリ１２に記録する。さらに、映像処理装置１８は、ＣＰＵ１１からの指令に従って、メインメモリ１２内に記憶された圧縮画像データを伸長し、このデータに従った画像をデイスプレイインターフェイス１５を介してデイスプレイ２の画面上に表示するようになっている。
【００３１】さらに、コンピュータ１０には、音声を記録するためのマイク１９が設けられているとともに、音声を出力するためのスピーカ２０が装備されている。マイク１９とスピーカ２０はそれぞれ音声処理装置２１に接続されており、音声処理装置２１はＣＰＵ１１からの指令に従ってマイク１９からの音声信号をアナログからデジタルに変換し、さらにデジタル信号を圧縮して適当なフォーマットの音声データとしてメインメモリ１２に記録するようになっている。さらに、音声処理装置２１は、ＣＰＵ１１からの指令に従って、メインメモリ１２内に記憶された圧縮音声データを伸長し、さらにアナログの音声信号に変換してスピーカ２０から音声を出力するようになっている。
【００３２】位置センサ１は、コンピュータ１０の現在位置を常時測定しており、測定した位置が予め設定した値より大きく変化すると、ＣＰＵ１１に割込みを掛けて、現在位置をＣＰＵ１１に報告するようになっている。一方、ＣＰＵ１１は位置センサ１に問い合わせることにより、コンピュータ１０の位置を随時知ることができる。
【００３３】本実施例における位置センサ１としては、ＧＰＳ（Ｇｌｏｂａｌ　Ｐｏｓｉｔｉｏｎｉｎｇ　Ｓｙｓｔｅｍ）が用いられている。このＧＰＳは、複数の衛星からの基準信号をＧＰＳ用アンテナ２２を介して受信し、受信信号から自分の位置、速度、時間を検知するシステムである。このシステムを用いると、ＣＰＵ１１は位置センサ１に問い合わせることにより、現在位置だけでなく、移動速度や現在時刻を知ることができる。なお、位置センサ１としては、ＧＰＳ以外の他の位置検知方法を採用したものを用いてもよい。特に、建物内や地下で使用する場合には、衛星からの電波を受け取りにくいので、他の方法を用いたほうがよい。
【００３４】通信装置１４は、通信用アンテナ２３を介して他のコンピュータや情報端末（電話やＦＡＸ等）と情報をやり取りするために設けられており、本実施例では、通信回線として、公衆の無線電話回線が用いられている。このような構成により、コンピュータ１０をＦＡＸ装置や電話機として使用することができる。もちろん、他の通信方法を用いてもよい。例えば衛星通信等を利用してもよい。」
　
（キ）
「【００６７】次に、本発明の第２実施例である移動作業支援システムを図１１から図１４を用いて説明する。
【００６８】本実施例におけるシステムの目的は、広域を移動する作業員（通常は複数）と中央指令室２００との協調作業を支援することである。このシステムの支援対象である移動作業には、例えば、通信網、配電網、下水道等の現地点検調査、訪問セールス、選挙活動、台風、地震等による広域災害の被害調査および復旧作業、動植物の生態調査等のフィールドワーク一般等がある。
【００６９】図１１に本システムの概略を示す。図１１において、作業員は、第１実施例で説明した位置センサ付コンピュータ１０と同一機能を備えた位置センサ付携帯コンピュータ１３０〜１３２を携帯しながら移動する。この時、作業員は携帯コンピュータ１３０〜１３２を使って中央指令室２００と電話、ＦＡＸ、電子メールで情報の授受を行なう。もちろん、携帯コンピュータ１３０〜１３２間で電話、ＦＡＸ、電子メールを用いて情報の授受を行なうこともできる。さらに、各携帯コンピュータ１３０〜１３２から発信された電話、ＦＡＸ、電子メールには全て発信場所の位置を示す位置情報が付加される。さらに携帯コンピュータ１３０〜１３２と中央指令室２００および携帯コンピュータ１３０〜１３２間との通信は公衆電話回線を通じて行なう。なお、公衆電話回線の代わりに、衛星通信を利用してもよい。特に、無線の公衆電話回線が利用できない地域を作業員が移動する場合には、衛星通信を利用することが考えられる。
【００７０】図１２に、中央指令室２００のシステム構成を示す。図１２において、コンピュータ２１０は、公衆電話回線とモデム２１２〜２１３を介して接続されており、携帯コンピュータ１３０〜１３２と電話、ＦＡＸ、電子メールを用いて情報の授受を行なう。コンピュータ２１０は、携帯コンピュータ１３０〜１３２と授受した情報等を中央指令室２００内の全てのオペレータが一望できるように、大型デイスプレイ２５０に表示する。各オペレータはそれぞれ自分用のワークステーション２２０〜２３０を有しており、ワークステーション２２０〜２３０はそれぞれコンピュータ、デイスプレイ、キーボード、マウス等を備えている。ワークステーション２２０〜２３０およびコンピュータ２１０はネットワーク２０１を介して接続されており、相互に情報を授受できるようになっている。さらにワークステーション２２０〜２３０に付随するマウスやキーボードからの入力イベントをネットワーク２０１を介してコンピュータ２１０に転送することもできる。
【００７１】このような機能を備えると、オペレータはワークステーション２２０〜２３０のマウスやキーボードを使って、ワークーステーションのデイスプレイだけでなく大型デイスプレイ２５０上の表示情報を対話操作できる。
【００７２】図１３に、大型デイスプレイ２５０の画面表示形態の一例を示す。大型デイスプレイ２５０の表示画面２５１には、携帯コンピュータ１３０〜１３２から発信された電話、ＦＡＸ、電子メールの記録ファイルに対応するアイコン２５２〜２６０が表示される。例えば、アイコン２５４、２５６、２５７はそれぞれＦＡＸ、電子メール、電話の記録ファイルに対応している。携帯コンピュータ１３０〜１３２と中央指令室２００間で行なわれる電話のやり取りは全てコンピュータ２１０によってデジタル化され、コンピュータ２１０に付随するデイスクに記録される。」
　
　したがって、引用例２には、映像を撮影できるカメラと、他のコンピュータと情報をやり取りするための通信装置を備えた携帯コンピュータと、中央司令室のコンピュータとからなるシステムであって、携帯コンピュータの通信装置を用いて中央司令室のコンピュータとの間で情報のやり取りが相互に可能であるシステムが記載されているといえる。
　
４．対比
　そこで、本願発明と引用例１発明とを対比する。
　
（Ａ）インデックスと画像データとからなる画像レコードが格納された記憶装置は、データベースに他ならないから、引用例１発明の「計算機」、「記憶装置に格納されているインデックスと画像データとからなる画像レコード」は、本願発明の「ホスト装置」、「保存されたデータベース」に、それぞれ相当し、引用例１発明の「端末装置」は、本願発明の「携帯端末装置」に対応するから、引用例１発明も、本願発明と同様に、ホスト装置に保存されたデータベースを検索する端末装置であるといえる。
　ただし、本願発明の端末装置は携帯可能であるのに対して、引用例１発明の端末装置は携帯可能か否か不明である点で一応相違する。
　
（Ｂ）引用例１発明の「画像情報を読み取り画像データを得る画像入力装置」と、本願発明の「対象を撮影し画像データを得る撮影手段」とは、画像データを得る手段である点で共通するから、引用例１発明の端末装置も、本願発明と同様に、画像データを得る手段を含んでいるといえる。
　ただし、本願発明の画像データを得る手段は、対象を撮影しているのに対して、引用例１発明では、画像情報を読み取っている点で一応相違している。
　
（Ｃ）引用例１発明の「指令データ」、「入力するキーボード」は、本願発明の「コマンド」、「指定する指定手段」に、それぞれ相当するから、引用例１発明の端末装置も、本願発明と同様に、画像データの検索を示すコマンドを指定する指定手段を含んでいるといえる。
　
（Ｄ）引用例１発明の「画像入力装置によって読み込まれた画像データを計算機に送る手段」及び「キーボードから入力された指令データを計算機に送る手段」と、本願発明の「前記撮影手段によって撮影された画像データを前記指定されたコマンドおよび携帯端末の識別情報と共にホスト装置へ送信する送信手段」とは、画像データやコマンドを送信しているという点で共通するから、互いに、対応しているといえ、引用例１発明の端末装置も、本願発明と同様に、画像データを得る手段によって得られた画像データをホスト装置へ送信する手段及び指定されたコマンドをホスト装置へ送信する手段を含んでいるといえる。
　ただし、本願発明の端末装置では、画像データをホスト装置へ送信する際に、コマンドと端末の識別情報も共に送信しているのに対して、引用例１発明では、コマンドと端末の識別情報を共に送信しているか否か明らかでない点で一応相違する。
　
（Ｅ）引用例１発明の「画像データの検索を指示する指令データを入力した際」、「入力された画像データ」、「計算機」は、本願発明の「画像データの検索を示すコマンドを送信した場合」、「送信された画像データ」、「ホスト装置」に、それぞれ相当し、引用例１発明の「計算機で検索された画像データを受信する表示装置」と、本願発明の「ホスト装置で検索された関連情報を受信する受信手段」とは、ホスト装置で検索された情報を受信するという点で共通するから、互いに、対応しているといえ、引用例１発明の端末装置も、本願発明と同様に、画像データの検索を示すコマンドを送信した場合には、前記送信された画像データをもとにホスト装置で検索された情報を受信する手段を含んでいるといえる。
　ただし、本願発明の端末装置では、ホスト装置で検索された情報が関連情報であるのに対して、引用例１発明の端末装置では、画像データである点で一応相違している。
　
　したがって、両者は、
　「ホスト装置に保存されたデータベースを検索する端末装置であって、
　画像データを得る手段と、
　画像データの検索を示すコマンドを指定する指定手段と、
　前記画像データを得る手段によって得られた画像データをホスト装置へ送信する手段と、
　前記指定されたコマンドをホスト装置へ送信する手段と、
　画像データの検索を示すコマンドを送信した場合には、前記送信された画像データをもとにホスト装置で検索された情報を受信する手段と、
　を有する端末装置。」
で一致し、以下の点で相違する。
　
（相違点１）
　本願発明の端末装置は携帯可能であるのに対して、引用例１発明の端末装置は携帯可能か否か不明である点。
　
（相違点２）
　本願発明の画像データを得る手段は、対象を撮影しているのに対して、引用例１発明では、画像情報を読み取っている点。
　
（相違点３）
　本願発明の端末装置では、画像データをホスト装置へ送信する際に、コマンドと端末の識別情報も共に送信しているのに対して、引用例１発明では、コマンドと端末の識別情報を共に送信しているか否か明らかでない点。
　
（相違点４）
　本願発明の端末装置では、ホスト装置で検索された情報が関連情報であるのに対して、引用例１発明の端末装置では、画像データである点。
　
５．当審の判断
　
（相違点１について）
　情報検索の技術分野において、情報の入出力を行う端末装置（コンピュータ）として、携帯可能な携帯端末を用いる構成は、本願出願前に周知の技術である（引用文献２でも、携帯コンピュータを入出力端末として用いている。また、拒絶査定において提示された２つの文献（門岡良昌，携帯端末向け情報サービス：WildBird，ＦＩＪＩＴＳＵ，日本，　富士通株式会社，１９９７年　３月１０日，４８巻、２号，１９４−１９９頁、及び、松崎高典、ほか，業務革新を目指すモバイルコンピューティングシステム，日立評論，日本，日立評論社，１９９６年　９月　１日，７８巻、９号，１１−１６頁）にも携帯端末を入出力端末として用いる情報検索システムが記載されている。）から、引用例１発明の端末装置として、携帯可能な携帯端末を用いる構成を採用することは、当業者が容易に想到し得たものである。
　
（相違点２について）
　引用例１の上記（エ）に「なお原稿１上の画像情報は，たとえば手書きの漢字データ，白黒の写真等であってもよい。」と記載されていて、読み取り対象となる画像が写真であっても良いことが示唆されており、引用文献２に記載の携帯コンピュータ（携帯端末）では、カメラを備えて、カメラで撮影した画像データを格納して検索可能である旨記載されているから、引用例１発明の端末装置において、画像入力装置に代えて、引用文献２の記載に基づいて、対象を撮影するカメラを画像入力手段とする構成を採用することは、当業者が容易に想到し得たものである。
　
（相違点３について）
　端末装置とホスト装置とからなる情報処理システムの技術分野において、端末装置からホスト装置に情報処理を依頼する際に、処理コマンドと共に処理対象データ及び端末識別情報を送信しする構成は、本願出願前に周知の技術に過ぎない（例えば、特開平５−１４３５４１号公報には、ユーザ端末から文字の画像データを認識依頼（コマンドに相当）と端末ＩＤ（端末装置の識別情報に相当）共に文字認識装置（ホスト装置に相当）に送信し、文字認識（文字の画像データと類似する画像の検索）を行うシステムが記載されている。）から、引用例１発明の端末装置において、画像データとコマンドを送信する際に、画像データをコマンドと端末装置の識別情報と共に送信する構成を採用することは、当業者が容易に想到し得たものである。
　
（相違点４について）
　引用例１の上記（エ）に「これらの画像情報をキーにして原稿１の検証を行なうとともに，対応する画像レコードに関連するコード化情報を結合してファイル化しておけば，詳細なコード化情報をファイルからとり出すことができる。」と記載されているから、引用例１発明の端末装置において、ホスト装置で画像データを検索して受信する際に、画像データと共に画像データと関連するコード化情報（関連情報に相当）も受信する構成を採用することは、当業者が容易に想到し得たものである。
　
  また、本願発明の効果についてみても、上記構成の採用に伴って、当然に予測される程度のものに過ぎず、格別顕著なものがあるとは認められない。
　
６．むすび
　以上のとおりであるから、本願発明は、引用例１及び２に記載された発明並びに周知技術に基づいて当業者が容易に発明をすることができたものであり、特許法第２９条第２項の規定により特許を受けることができない。
　したがって、本願は、その余の請求項について特に論及するまでもなく、拒絶されるべきものである。
　よって、結論のとおり審決する。